(57)【要約】      （修正有）【課題】簡易な構造で、テールコードの円滑な巻き取りおよび繰り出し、およびテールコードの制御盤への接続を実現することのできるエレベータ装置の提供。【解決手段】一端が乗かご２、他端が制御盤６に接続され、信号の送受信および電力の供給を行うためのテールコード７を、巻き取り手段８により乗かご２の昇降に応じて巻き取りおよび繰り出しを行うエレベータ装置において、巻き取り手段８に、長手方向に沿って中空部が形成される円筒体９と、この円筒体９を巻上機と同期して回転させる駆動部とを備え、テールコード７が、円筒体９の外周に巻き掛けられるとともに、その他端側が円筒体９の巻き取り始点に形成された孔を介して中空部に導かれ、この中空部に挿通された状態で制御盤６に接続されるものである。【選択図】図１
2008087943.tif 000002
【特許請求の範囲】
【請求項１】
建屋に形成された昇降路を昇降する乗かごおよびつり合いおもりと、乗かごおよびつり合いおもりに接続されるロープと、このロープが巻き掛けられるとともに前記ロープに駆動力を付与する巻上機と、前記乗かごの運転を制御するための制御盤と、前記乗かごに一端が接続されるとともに他端が前記制御盤に接続され、信号の送受信および電力の供給を行うためのテールコードと、前記乗かごの昇降に応じて前記テールコードの巻き取りおよび繰り出しを行う巻き取り手段とを備えたエレベータ装置において、
前記巻き取り手段は、長手方向に沿って中空部が形成される円筒体と、この円筒体を前記巻上機と同期して回転させる駆動部とを備え、前記テールコードは、前記円筒体の外周に巻き掛けられるとともに、その他端側が前記円筒体の巻き取り始点に形成された孔を介して前記中空部に導かれ、この中空部に挿通された状態で前記制御盤に接続されることを特徴としたエレベータ装置。
【発明の詳細な説明】
【技術分野】
【０００１】
本発明は、エレベータ装置に係り、特に、一端が乗かご、他端が制御盤に接続されるテールコードを乗かごの昇降に応じて巻き取りおよび繰り出し可能なエレベータ装置に関する。
【背景技術】
【０００２】
一般にエレベータは、建屋に形成された昇降路に、乗かごとつり合いおもりがロープを介してつるべ式に吊るされ、巻上機によりロープを駆動して乗かごおよびつり合いおもりを相対的に昇降するようになっている。また、エレベータの運転を制御するための制御盤が、例えば昇降路の中間位置に設置され、この制御盤と乗かごとをテールコードを介して接続している。テールコードは、乗かごからのかご呼び信号、かご扉の開閉指令信号等の各種制御信号の送受信や、乗かご内の照明や換気扇、および扉駆動部等、電気機器への電力供給を行うようになっているとともに、乗かご下部から垂下され、折り返して制御盤に接続されており、乗かごの昇降に伴って変形しながら追従するようになっている。しかしながら、テールコードは長尺物であることから、地震等により揺れが生じて昇降路内機器に接触して破損する恐れがあるとともに、昇降路がガラス張りになっている展望用エレベータにあってはＵ字状に折り返されたテールコードが乗かごの昇降に応じて上下する様子が見えることになり、外観上好ましいものではない。
【０００３】
このため、従来、リニアエレベータにあって、回転自在に支持されるドラムおよびこのドラムを回転付勢するコイルばねとを備えたスパイレータ、すなわち巻き取り装置を昇降路下部に配置し、乗かごの昇降に応じてコードをドラムに巻き付けるものが提案されている（例えば、特許文献１参照）。
【０００４】
また、ロープ式エレベータにあって、昇降路上部に、巻上機の回転駆動と連動して回転する巻き取りシーブを備え、乗かごの昇降に応じてコードを巻き取りシーブにより巻き取りおよび巻き出しを行うものが提案されている（例えば、特許文献２参照）。
【特許文献１】特開平８−２６８６６３号公報（段落番号００１３〜００１５、第２図）
【特許文献２】特開平７−２０６３１８号公報（段落番号０００８〜００１０、第１図）
【発明の開示】
【発明が解決しようとする課題】
【０００５】
ところで、前述した従来のものでは、前者、後者いずれのものも巻き取り手段となるスパイレータおよび巻き取りシーブから伸長されるコードを制御盤に接続する工夫については考慮されていない。すなわち、単純にコードの一端を乗かご、他端を制御盤に接続固定した状態でその中間部を回転体に巻き付けようとしても捩れや滑りが生じ、コードの巻き取りおよび繰り出しを円滑に行うことは難しい。一方、巻き取り手段と制御盤とを別途、他のコードで接続するとともに、巻き取り手段に特別なアダプタを設け、乗かご側からのコードと他のコードとをアダプタを介して接続することにより、巻き取りおよび繰り出しによる影響を他のコードが受けないようにすることも可能であるが、この場合、設備コストの増加を招くという問題がある。
【０００６】
本発明は、前述した従来技術における実状からなされたもので、その目的は、簡易な構造で、テールコードの円滑な巻き取りおよび繰り出し、およびテールコードの制御盤への接続を実現することのできるエレベータ装置を提供することにある。
【課題を解決するための手段】
【０００７】
前記目的を達成するために、本発明は、建屋に形成された昇降路を昇降する乗かごおよびつり合いおもりと、乗かごおよびつり合いおもりに接続されるロープと、このロープが巻き掛けられるとともに前記ロープに駆動力を付与する巻上機と、前記乗かごの運転を制御するための制御盤と、前記乗かごに一端が接続されるとともに他端が前記制御盤に接続され、信号の送受信および電力の供給を行うためのテールコードと、前記乗かごの昇降に応じて前記テールコードの巻き取りおよび繰り出しを行う巻き取り手段とを備えたエレベータ装置において、前記巻き取り手段は、長手方向に沿って中空部が形成される円筒体と、この円筒体を前記巻上機と同期して回転させる駆動部とを備え、前記テールコードは、前記円筒体の外周に巻き掛けられるとともに、その他端側が前記円筒体の巻き取り始点に形成された孔を介して前記中空部に導かれ、この中空部に挿通された状態で前記制御盤に接続されることを特徴としている。
【０００８】
このように構成した本発明は、乗かごの昇降、すなわち巻上機の回転に応じて駆動体は、円筒体を巻上機と同速度で回転することによりテールコードの巻き取りおよび繰り出しを行う。また、テールコードの他端側は、円筒体の巻き取り始点に形成された孔を介して円筒体の中空部に導かれ、この中空部を通って円筒体の端部から引き出され制御盤に接続される。これによって、一端が乗かご、他端が制御盤に固定された状態にあるテールコードの中間部を巻き取りおよび繰り出ししても、これらの巻き取りおよび繰り出し動作によりテールコードに大きな捩れが生じるのを防ぐことができる。したがって、簡易な構造で、テールコードの円滑な巻き取りおよび繰り出し、およびテールコードの制御盤への接続を実現することができる。
【発明の効果】
【０００９】
本発明によれば、簡易な構造で、テールコードの円滑な巻き取りおよび繰り出し、およびテールコードの制御盤への接続を実現することができることから、テールコードの巻き取りが可能なエレベータを普及し、テールコードによる昇降路内機器の破損を防止するとともに、エレベータの意匠性の向上を図ることができる。
【発明を実施するための最良の形態】
【００１０】
以下、本発明に係るエレベータ装置の実施の形態を図に基づいて説明する。
【００１１】
図１は本発明に係るエレベータ装置の一実施形態を示す概略構成図、図２はエレベータ装置に備えられる巻き取り手段の要部拡大図、図３はエレベータ装置の処理手順を示すフローチャートである。
【００１２】
本実施形態のエレベータ装置は図１に示すように、建屋に形成された昇降路１を昇降する乗かご２およびつり合いおもり３と、乗かご２およびつり合いおもり３に接続されるロープ４と、このロープ４が巻き掛けられるとともにロープ４に駆動力を付与する図示しない巻上機と、昇降路１の下方に配置され、乗かご２の運転を制御するためのＣＰＵ５を備えた制御盤６と、乗かご２に一端が接続されるとともに他端が制御盤６に接続され、信号の送受信および電力の供給を行うためのテールコード７と、昇降路１下部に設置され、乗かご２の昇降に応じてテールコード７の巻き取りおよび繰り出しを行う巻き取り手段８とを備えている。
【００１３】
また、巻き取り手段８は図１および図２に示すように、長手方向に沿って中空部が形成される円筒体９と、この円筒体９を巻上機５と同期して回転させる駆動部、すなわちスピニングモータ１０と、円筒体９を両端で回転可能に支持するスタンド１１と、スピニングモータ１０と円筒体９とを連結するカップリング１２と、円筒体９を覆うとともに上部にテールコード７が挿通される穴１３ａが形成されるボックス１３とを備えている。さらに、円筒体９には、テールコード７の巻き取り始点に孔９ａが形成され、テールコード７は円筒体９の外周に巻き掛けられるとともに、その他端側が孔９ａを介して中空部に導かれ、この中空部に挿通された状態で制御盤６に接続されている。また、スピニングモータ１０は、制御盤６と接続され、ＣＰＵ５からの出力信号により巻上機と同期して回転するようになっている。
【００１４】
本実施形態にあっては、手順Ｓ１に示すようにかご呼び、或いは乗場呼びが入力されると、制御盤６のＣＰＵ５は手順Ｓ２として呼びに応じて巻上機に運転指令を出力する。ここで運転指令が上昇運転であることを手順Ｓ３として判断すると、ＣＰＵ５は手順Ｓ４としてスピニングモータ１０を例えば反時計回りに回転させ、乗かご２の移動距離に応じた長さ分、順次テールコード７を繰り出す。次いで、乗かご２が目的階に到着したことに応じてＣＰＵ５は手順Ｓ５としてスピニングモータ１０を停止し、テールコード７の繰り出しを終了する。一方、前述の手順Ｓ３で運転指令が下降運転であることを判断すると、制御盤６のＣＰＵ５は手順Ｓ６としてスピニングモータ１０を時計回りに回転させ、乗かご２の移動距離に応じた長さ分、順次テールコード７を巻き取る。次いで、乗かご２が目的階に到着したことに応じてＣＰＵ５は手順Ｓ７としてスピニングモータ１０を停止し、テールコード７の巻き取りを終了する。そして、これらのテールコード７の巻き取りおよび繰り出し時、テールコード７の他端側は、円筒体９の巻き取り始点に形成された孔９ａを介して円筒体９の中空部に導かれ、この中空部を通って円筒体９の端部から引き出され制御盤６に接続されていることから、大きな捩れが生じることがない。
【００１５】
本実施形態によれば、簡易な構造で、テールコード７の円滑な巻き取りおよび繰り出し、およびテールコード７の制御盤６への接続を実現することができることから、テールコード７の巻き取りが可能なエレベータを普及し、地震等によりテールコード７が振られて昇降路内機器に接触して破損することを防止するとともに、エレベータの意匠性、特に、昇降路がガラス張りになっている展望用エレベータにあってその意匠性を向上することができる。
【図面の簡単な説明】
【００１６】
【図１】本発明に係るエレベータ装置の一実施形態を示す概略構成図である。
【図２】エレベータ装置に備えられる巻き取り手段の要部拡大図である。
【図３】エレベータ装置の処理手順を示すフローチャートである。
【符号の説明】
【００１７】
１    昇降路
２    乗かご
３    つり合いおもり
４    ロープ
５    ＣＰＵ
６    制御盤
７    テールコード
８    巻き取り手段
９    円筒体
９ａ  孔
１０  スピニングモータ（駆動部）
【図１】
2008087943.tif 000003
【図２】
2008087943.tif 000004
【図３】
2008087943.tif 000005